(57)【要約】【課題】既存の暖房機をそのまま用い商品品質を維持しつつ燃料費を少なくできる室内温度管理装置を提供すること。【解決手段】２４時間を４ステップに区切り、室内温度と設定操作とに基づいて室内が現在時刻にかかるステップにおける設定温度となるように暖房機の運転の制御信号を送出する送出部３００を具備し、操作表示部２００が、回動ツマミＰ２１により各ステップにおける設定温度を指定する温度指定部２０２と、ステップ切替時刻を設定する切替時刻設定部２０３と、点灯状態によりステップ切替時刻と現在時刻とを区別して表示する複数の円環状に配されたＬＥＤと、４８時間を単位としてステップ推移を繰り返す４８時間モードに切り替えるモード切替部２０５と、４８時間モードの後半２４時間の各ステップの設定温度を指定する隔日温度指定部２０６と、を備えた室内温度管理装置１。【選択図】図３
2014131489.tif 000002
【特許請求の範囲】
【請求項１】
花卉、野菜、果物、果樹、その他の植物を室内育成する際に使用する暖房装置または冷房装置を、２４時間を所定数のステップに区切り各ステップにおいてそれぞれ指定された設定温度に至らしめる制御をおこなう装置であって、
室内温度を検出する検出手段と、
暖房装置または冷房装置の運転制御に関する設定操作および状態表示をおこなう操作表示部と、
前記検出手段により検出された室内温度と前記設定操作とに基づいて、室内が現在時刻にかかるステップにおける設定温度となるように暖房装置または冷房装置に対し運転開始または運転停止の制御信号を送出する送出手段と、
を具備し、
前記操作表示部は、
検出手段により検出された室内温度を表示する温度表示手段と、
前記所定数分設けられた各ステップ毎の温度指定手段であって、印付ツマミの印を温度の付された目盛に合わせることにより当該ステップにおける設定温度を指定する温度指定手段と、
各ステップの開始時刻であるステップ切替時刻を設定する切替時刻設定手段と、
２４時間を表示すべく２４の倍数個円環状に配され、点灯状態を異ならせることによりステップ切替時刻と現在時刻とを区別して表示する複数の点灯手段と、
２４時間を単位としてステップ推移を繰り返す２４時間モードと、４８時間を単位としてステップ推移を繰り返す４８時間モードと、を切り替えるモード切替手段と、
４８時間モードにおける後半２４時間の各ステップの設定温度を指定する隔日温度指定手段と、
を備え、
モード切替手段によって異なるモードに切り替えられるまで現モードを繰り返すことを特徴とする室内温度管理装置。
【請求項２】
温度表示手段を制御して、温度指定手段により当該ステップにおける設定温度を指定する際に印付ツマミの操作に同調させて設定温度を表示する温度表示制御手段を備えたことを特徴とする請求項１に記載の室内温度管理装置。
【請求項３】
隔日温度指定手段は、
前記後半２４時間の各ステップを指定するステップ指定手段と、
ステップ指定手段により指定されたステップにおいて、対応する前半２４時間のステップにおける設定温度との差分の温度を指定する差分温度指定手段と、
温度表示手段を制御して、差分温度指定手段により当該ステップにおける差分の温度を指定する際に指定操作に同調させて設定温度を表示する温度表示制御手段を備えたことを特徴とする請求項１に記載の室内温度管理装置。
【請求項４】
モード切替手段により４８時間モードに切り替えられた場合に、切り替え時の時刻にかかるステップを後半２４時間のステップに設定する後半ステップ設定手段を備えたことを特徴とする請求項１、２または３に記載の室内温度管理装置。
【発明の詳細な説明】
【技術分野】
【０００１】
本発明は、ビニルハウスその他の植物育成室の温度を管理する装置に関し、特に、育成状態を維持しつつ冷暖房費の抑制を可能とする室内温度管理装置に関する。
【背景技術】
【０００２】
従来、例えば、葡萄や牡丹など、花卉、果物、果樹、野菜等の所定の植物については、露地物より早く出荷できるハウス栽培が採用されている。ハウス栽培ないし温室栽培は、外気より室内温度が高まるが、これを補助するため、暖房機で室内を所定温度まで加温し、栽培管理をおこなっている。
【０００３】
具体的には、室内の温度管理は、暖房機自体、または、室内温度を監視し暖房機のＯＮ／ＯＦＦ制御をする外部装置によりおこない、一日を所定ステップに区切り、２４時間周期で恒常的な温度管理をおこなっている。また、数週間毎にステップの時刻と室温とを変更し、成長に合わせた温度管理をおこなっている。
【０００４】
従来はこのような安定的な温度管理により、単に出荷時期をずらすだけでなく、均質かつ高品質な商品とすべく育成をおこなっていた。
【０００５】
しかしながら、従来では以下の問題点があった。
暖房機その他の加温装置を用いる場合、燃料代や電気代がかかり、特に燃料費は原油価格が高まると必然的に高まり、栽培コストが高まってしまう。一方、果物等の出荷額は、現実の取引においては、原油価格に連動させにくく、その上乗せには限界がある。ここで、室内温度を低くして燃料費を抑えることは可能であるが、生育不良が生じやすく、結局ハウス栽培のメリットを相殺してしまうという問題点がある。燃費の良い装置を新たに導入することも一案であるが、生産農家の負担が大きく現実的ではない。このような問題点は、室内を冷房して栽培ないし育成する場合も同様である。
【０００６】
すなわち、従来のハウス栽培その他の室内育成に関しては、新たな設備投資をせずに商品品質を維持したまま燃料費や電気代を低減することが困難であるという問題点があった。
【先行技術文献】
【特許文献】
【０００７】
【特許文献１】特開２０１１−２４４６９７号公報
【特許文献２】特開平５−３０４８３７号公報
【特許文献３】特開２０１０−１０４３５５号公報
【発明の概要】
【発明が解決しようとする課題】
【０００８】
本発明は上記に鑑みてなされたものであって、既存の暖房装置や冷房装置をそのまま用いて、商品品質を維持しつつ燃料費や電気代を低減することが可能な室内温度管理装置を提供することを目的とする。
【課題を解決するための手段】
【０００９】
請求項１に記載の室内温度管理装置は、花卉、野菜、果物、果樹、その他の植物を室内育成する際に使用する暖房装置または冷房装置を、２４時間を所定数のステップに区切り各ステップにおいてそれぞれ指定された設定温度に至らしめる制御をおこなう装置であって、室内温度を検出する検出手段と、暖房装置または冷房装置の運転制御に関する設定操作および状態表示をおこなう操作表示部と、前記検出手段により検出された室内温度と前記設定操作とに基づいて、室内が現在時刻にかかるステップにおける設定温度となるように暖房装置または冷房装置に対し運転開始または運転停止の制御信号を送出する送出手段と、を具備し、前記操作表示部が、検出手段により検出された室内温度を表示する温度表示手段と、前記所定数分設けられた各ステップ毎の温度指定手段であって、印付ツマミの印を温度の付された目盛に合わせることにより当該ステップにおける設定温度を指定する温度指定手段と、各ステップの開始時刻であるステップ切替時刻を設定する切替時刻設定手段と、２４時間を表示すべく２４の倍数個円環状に配され、点灯状態を異ならせることによりステップ切替時刻と現在時刻とを区別して表示する複数の点灯手段と、２４時間を単位としてステップ推移を繰り返す２４時間モードと、４８時間を単位としてステップ推移を繰り返す４８時間モードと、を切り替えるモード切替手段と、４８時間モードにおける後半２４時間の各ステップの設定温度を指定する隔日温度指定手段と、を備え、モード切替手段によって異なるモードに切り替えられるまで現モードを繰り返すことを特徴とする。
【００１０】
本発明は、二日目の温度を一日目より低く設定しても、植物の育成状態や品質の維持が可能であることを契機として成された発明である。
【００１１】
すなわち、請求項１にかかる発明は、２４時間サイクルを適時４８時間サイクルで温度管理をおこなうことにより、既存の暖房装置や冷房装置をそのまま用いて、商品品質を維持しつつ燃料費や電気代を低減することが可能な室内温度管理装置を提供することができる。
【００１２】
具体的には、例えば暖房装置を用い２４時間を基準のサイクルとした場合には、４８時間モードにより、後半２４時間を基準サイクルの設定温度より所定温度低くして暖房費や電気代を節約できる。
【００１３】
また、操作表示部の構成により、視認性良く、対話的、直感的な操作が可能となる。加えて、印付ツマミを２４時間モード（基準サイクル）のステップ数分だけ設け、目盛位置により各ステップの設定温度が一目で確認できる。換言すれば、後半２４時間のステップ数のツマミも設けるとそれだけ製品コストの上昇を招来してしまい、また、誤操作により基準のサイクル（前半２４時間）の設定温度を変更してしまう可能性があるが、これらをなくすことができる。
【００１４】
なお、本願では、暖房装置または冷房装置と表現しているが、冷房も暖房も可能な兼用装置を採用することを妨げない。
【００１５】
また、室内温度の検出は必ずしも室内の一点に限定されず、複数点を検出するようにしても良い。この場合は平均値を採用したり、中央値を採用するようにすることができる。
【００１６】
温度表示手段の表示方法は、例えばデジタル表示を採用することができる。印付ツマミは、回動式ツマミを採用でき、この他スライド式ツマミであってもよい。
【００１７】
切替時刻設定手段は、ステップを選択ないし指定するボタンと、当該ステップにおける時刻設定ボタンなどにより構成できる。このとき、点灯手段と連動させ対話的に設定できるようにしても良い。なお、植物成長の観点から２４時間と４８時間とで細かくステップ切替時刻を異ならせる必要はないため、４８時間モードの後半２４時間のステップ切替時刻は前半２４時間のステップ切替時刻、すなわち、２４時間モードのステップ切替時刻と同一としている。ただし、使用の態様により、後半２４時間のステップ切替時刻を異ならせるようにしても良い。なお、週単位、１０日単位、月単位等、比較的長期間経過後は、植物の成長状況に応じて、適宜ステップ切替時刻を設定し直すようにする。
【００１８】
点灯状態は、特に限定されず、例えば、点灯強度や点灯色による区別の他、点灯と点滅による区別、点滅間隔による区別を挙げることができる。これらの区別により、現在がどのステップを進行しているかを簡便に把握可能となる。なお、切替時刻設定手段によりステップ切替時刻を設定する際に、選択されているステップの点灯状態を他と区別するようにしても良い。
【００１９】
隔日温度指定手段は、後半２４時間のステップを選択ないし指定するボタンと、当該ステップにおける温度設定ボタンなどにより構成できる。
【００２０】
請求項２に記載の室内温度管理装置は、請求項１に記載の室内温度管理装置において、温度表示手段を制御して、温度指定手段により当該ステップにおける設定温度を指定する際に印付ツマミの操作に同調させて設定温度を表示する温度表示制御手段を備えたことを特徴とする。
【００２１】
すなわち、請求項２にかかる発明は、表示構成を簡素化し、視認性・確認性を高めることができる。
【００２２】
請求項３に記載の室内温度管理装置は、請求項１に記載の室内温度管理装置において、隔日温度指定手段が、前記後半２４時間の各ステップを指定するステップ指定手段と、ステップ指定手段により指定されたステップにおいて、対応する前半２４時間のステップにおける設定温度との差分の温度を指定する差分温度指定手段と、温度表示手段を制御して、差分温度指定手段により当該ステップにおける差分の温度を指定する際に指定操作に同調させて設定温度を表示する温度表示制御手段を備えたことを特徴とする。
【００２３】
すなわち、請求項３にかかる発明は、表示構成を簡素化し、差分による温度設定の簡略化、易認識化を実現できる。なお、後半２４時間のステップにおける設定温度は前半の設定温度より低くすることに限定されず、プラスマイナスも表示して高くも低くも設定することができるものとする。
【００２４】
請求項４に記載の室内温度管理装置は、請求項１、２または３に記載の室内温度管理装置において、モード切替手段により４８時間モードに切り替えられた場合に、切り替え時の時刻にかかるステップを後半２４時間のステップに設定する後半ステップ設定手段を備えたことを特徴とする。
【００２５】
すなわち、請求項４にかかる発明は、４８時間モードにおいて前半２４時間のステップからでも後半２４時間のステップからでも温度管理をできる装置を提供可能となる。なお、装置には適宜、現在が２４時間モードであるか、４８時間モードであるか、また、４８時間モードの場合に、前半２４時間のステップ経過中であるか、後半２４時間のステップ経過中であるか認識可能なランプ等を適宜備えていてもよい。
【発明の効果】
【００２６】
本発明によれば、２４時間サイクルを適時４８時間サイクルで温度管理をおこなうことにより、既存の暖房装置や冷房装置をそのまま用いて、商品品質を維持しつつ燃料費や電気代を低減することが可能な室内温度管理装置を提供することができる。詳細には、本発明（請求項１）によれば、例えば暖房装置を用いた４８時間モードにより、後半２４時間を基準サイクルの設定温度より所定温度低くして暖房費を節約可能となる。また、操作表示部を設けて、視認性良く、対話的、直感的な操作を可能としている。加えて、印付ツマミを２４時間モードのステップ数分だけ設け、目盛位置により各ステップの設定温度を一目で確認できるようになるとともに、後半２４時間のステップ数のツマミの省略により、コストダウンや基準のサイクルの設定温度の誤操作をなくすことも実現する。
【００２７】
また、本発明（請求項２）によれば、表示構成を簡素化し、視認性・確認性を高めることができる。また、本発明（請求項３）によれば、表示構成を簡素化し、差分による温度設定の簡略化、易認識化を実現できる。また、本発明（請求項４）によれば、４８時間モードにおいて前半２４時間のステップからでも後半２４時間のステップからでも温度管理をできる装置を提供可能となる。
【図面の簡単な説明】
【００２８】
【図１】室内温度管理装置を含んだシステム概要図である。
【図２】室内温度管理装置の操作パネルの概略構成図である。
【図３】室内温度管理装置のブロック構成図である。
【図４】２４時間モードと４８時間モードのステップ切替と設定温度との関係を示したモード説明図である。
【図５】現在時刻にかかるステップがステップ３のときに、ステップ６の差分温度の操作概念フローを、隔日設定部Ｐ０５と温度表示枠Ｐ０１の表示内容と共に示した説明図である。
【発明を実施するための形態】
【００２９】
以下、本発明の実施の形態を図面を参照しながら詳細に説明する。
本実施の形態では、ビニルハウス内で暖房機を用い、２４時間を４ステップに区切って室内温度を調整し、葡萄を育成する場合の室内温度管理装置について説明する。
【００３０】
図１は、システム概要図である。図２は、室内温度管理装置の操作パネルの概略構成図である。図３は、室内温度管理装置のブロック構成図である。図４は、モード説明図である。
【００３１】
室内温度管理システムＳは、温度センサＴを有する室内温度管理装置１と、暖房機Ｂとから構成され、ビニルハウスＨ内の葡萄Ｇの育成に際し温度管理をおこなう。なお、図では説明の便宜上、温度センサＴ、暖房機Ｂ、葡萄Ｇとはそれぞれ一つずつしか描画していないが、葡萄Ｇは多数植生され、温度センサＴや暖房機Ｂは適宜複数設置されているものとする。
【００３２】
室内温度管理システムＳは、温度センサＴにより検出された室内温度に基づき、室内温度管理装置１が暖房機Ｂの運転開始および停止の制御をおこない、ビニルハウスＨ内の温度管理をおこなう。
【００３３】
温度管理は、２４時間を４ステップに分け、図４に示したように、ステップ１として毎０６：００、ステップ２として毎１８：００、ステップ３として毎２２：００、ステップ４として毎０３：００を設定し、時刻の経過と共にステップを順に推移させ各ステップにおいて設定された温度（設定温度）となるようにする。
【００３４】
なお、後述するように、室内温度管理装置１の大きな特徴として２４時間モードと４８時間モードの切り替え機能がある。これは、ステップの切替時刻は同一であって、４８時間モードの場合には、前半２４時間の設定温度は２４時間モードと同一、後半２４時間の設定温度は対応する前半２４時間の各ステップにおける設定温度より数度程度低めて暖房機Ｂの運転制御をおこない、これにより燃料費の低減を図るものである。
【００３５】
次に、室内温度管理装置１の機能的構成と操作パネル構成について説明する。室内温度管理装置１は、その機能的構成として、検出部１００と、操作表示部２００と、送出部３００とを有し、操作表示部２００は、更に、温度表示部２０１と、温度指定部２０２と、切替時刻設定部２０３と、点灯部２０４と、モード切替部２０５と、隔日温度指定部２０６と、温度表示制御部２０７と、後半ステップ設定部２０８と、を有する。
【００３６】
検出部１００は、温度センサＴにより室内温度を検出し、温度情報を操作表示部２００および送出部３００へ送出する。
【００３７】
操作表示部２００は、暖房機Ｂの運転制御に関する設定操作と状態表示をおこなう。設定操作および状態表示は主として図２に示した操作パネルＰを介して対話的におこなう。詳細については後述する。
【００３８】
送出部３００は、検出部１００により検出された温度情報と操作表示部２００における設定操作とに基づいて、ビニルハウスＨ内が現在時刻にかかるステップにおける設定温度となるように暖房機Ｂに対し運転開始または運転停止の制御信号を送出する。具体的には、設定温度が３０℃である場合に、室内温度が２５℃であれば、暖房機Ｂを運転して室内加温をおこない、３０℃に達したら暖房機Ｂを停止する。なお、暖房機Ｂに燃焼の強弱機能がついているような場合には、室内温度が２９℃に至るまでは強運転、それ以降は弱運転とし、３０℃に至れば運転停止とするように制御信号を送出しても良い。
【００３９】
操作表示部２００について詳述する。
温度表示部２０１は、検出部１００により検出された室内温度を表示する。図２に示したように、温度表示は、操作パネルＰ上で温度表示枠Ｐ０１としてデジタル表示される。
【００４０】
温度指定部２０２は、操作パネルＰ上では温度指定枠Ｐ０２として４つ設けられ、回動ツマミＰ２１の印を温度の付された目盛Ｐ２２に合わせることにより当該ステップにおける設定温度を指定する。指定に際しては、ステップ指定ボタンＰ２３を押下してステップを選択する。このとき、温度表示制御部２０７は温度表示部２０１を制御して回動ツマミＰ２１の回動に同調させて動的に温度を表示する。図では、ステップ１〜４の設定温度が
それぞれ、３０．０℃、２５．０℃、２０．０℃、１５．０℃に指定してある。
【００４１】
切替時刻設定部２０３は、各ステップの開始時刻であるステップ切替時刻を設定する。設定に際しては、操作パネルＰ上で、まず、ステップ指定ボタンＰ２３を押下してステップを選択する。このとき、時刻表示部Ｐ０３では選択されたステップのステップ切替時刻を表示するＬＥＤが点灯から点滅に変わり、どのステップが選択されたかが確認できるようにしている。次いで、開始時刻設定ボタンＰ３１の押下により、ＬＥＤの点滅位置を移動させることによりステップ切替時刻を設定する。なお、図では３０分繰り上げ、３０分繰り下げの二つのボタンが用意されている。
【００４２】
点灯部２０４は、操作パネル上では時刻表示部Ｐ０３として表示され、２４時間を３０分間隔で表示する４８個のＬＥＤが円環状に配されて構成される。（符号Ｐ３２はＬＥＤを指し示すものである）。ここで、ステップ切替時刻に関しては４箇所でＬＥＤが点灯し、現在時刻に関しては一箇所でＬＥＤが点滅し、点灯状態を異ならせている。図では、１１：３０のＬＥＤが点滅している様子を示している。このようにＬＥＤの円環配置と点灯・点滅の区別により、現在時刻と進行ステップとの関係を簡便に把握できるようにしている。なお、ステップ指定ボタンＰ２３が押下された場合は、点滅している現在時刻のＬＥＤを消灯し、指定されたステップのステップ切替時刻にかかるＬＥＤを点灯から点滅周期を早めた点滅に切り替える制御をおこなう（指定されていないその他の３つのステップのステップ切替時刻にかかるＬＥＤはそのまま点灯させておく）。これにより、より直感的な操作が可能となる。時刻表示部Ｐ０３には、また、現在ステップ表示ＬＥＤも４つ備え、現在時刻にかかるステップのＬＥＤを点灯させる（符号Ｐ３３は、現在ステップ表示ＬＥＤを指し示すものである）。
【００４３】
モード切替部２０５は、２４時間を単位としてステップ推移を繰り返す２４時間モードと、４８時間を単位としてステップ推移を繰り返す４８時間モードと、を切り替える。操作パネルＰ上では、モード切替ボタンＰ０４として表され、押下によりＬＥＤが点灯し４８時間モードであることを示すようにしている（消灯のときは２４時間モードであることを示す）。なお、ステップ推移は、２４時間モードのときは、ステップ１→ステップ２→ステップ３→ステップ４→ステップ１→・・・、４８時間モードのときは、ステップ１→ステップ２→ステップ３→ステップ４→ステップ５→ステップ６→ステップ７→ステップ８→ステップ１→・・・というように、モードの切り替えがあるまでステップが循環して繰り返され、各ステップにおける設定温度にビニルハウスＨの室内温度が至るように送出部３００の制御信号が暖房機Ｂに送出される。ここで、ステップ５、６、７、８のステップ切替時刻は、植物の生育速度の観点から短期的な微調整を必要としないので、それぞれ、ステップ１、２、３、４のステップ切替時刻と同一としている。
【００４４】
また、モード切替部２０５により４８時間モードに切り替えられた場合に、切り替え時の時刻にかかるステップを後半２４時間の対応するステップに設定できるように、後半ステップ設定部２０８が設けられている。操作パネルＰ上では、後半開始ボタンＰ４１として表され、押下によりＬＥＤが点灯し後半２４時間のステップであることを示すようにしている。すなわち、４８時間モードにおいて現在時刻にかかるステップがステップ２である場合に、後半開始ボタンＰ４１が押下されると、ステップ５に移行し、その後、ステップ６→ステップ７→ステップ８→ステップ１→・・・と移行していく。なお、後半ステップ設定部２０８は、後半開始ボタンＰ４１の押下がなくとも、４８時間モードにおいてステップが順次推移していき後半２４時間に至ったときはＬＥＤを点灯させるようにする。これにより、後半開始ボタンＰ４１のＬＥＤが点灯しており、かつ、ステップ１の現在ステップ表示ＬＥＤが点灯しているときはステップ５が進行中であり、同様に、ステップ２のＬＥＤ点灯はステップ６が、ステップ３のＬＥＤ点灯はステップ７が、ステップ４のＬＥＤ点灯はステップ８が進行中であることを簡便に把握できるようにしている。なお、後半２４時間のステップにおいて後半開始ボタンＰ４１が押下された場合には、反対に前半２４時間の対応するステップに移行させるように制御する。
【００４５】
隔日温度指定部２０６は、４８時間モードにおける後半２４時間の各ステップの設定温度を指定する。本実施の形態では、隔日温度指定部２０６は、後半ステップ指定部２６１と、差分温度指定部２６２とから構成され、後半ステップ指定部２６１は、後半２４時間の各ステップを指定し、差分温度指定部２６２は、後半ステップ指定部２６１により指定されたステップにおいて、対応する前半２４時間のステップにおける設定温度との差分の温度を指定する。操作パネルＰ上では、隔日設定部Ｐ０５として設けられ、選択されているステップがステップ５〜ステップ８のいずれかであることを、点灯により示す４つのＬＥＤからなる後半ステップ表示部Ｐ５１と、選択するステップを押下により循環的に推移させる推移ボタンＰ５２と、差分の温度の昇降をおこなう昇降ボタンＰ５３と、により構成される。ここで、温度表示制御部２０７は、温度表示部２０１を制御して、差分温度指定部２６２により当該ステップにおける差分の温度を指定する際に指定操作に同調させて設定温度を表示する。具体的には、昇降ボタンＰ５３を押下すると、温度表示枠Ｐ０１にて差分温度として表され、押下により、０．５℃ずつ変更できるようにしている。図５は、現在時刻にかかるステップがステップ３のときに、ステップ６の差分温度の操作概念フローを、隔日設定部Ｐ０５と温度表示枠Ｐ０１の表示内容と共に示した説明図である（図では差分温度を−１．０℃とする操作までを示している）。図示したように、推移ボタンＰ５２の押下によりステップ５のＬＥＤがまず点灯し温度表示枠Ｐ０１は、対応するステップ１の設定温度である３０℃が表示される。再度推移ボタンＰ５２が押下されてステップ６に推移した際には２５℃が表示される。次に、昇降ボタンＰ５３が押下されると、表示が−０．５℃となる。このように、基準サイクルの温度を認識しながら差分温度を設定でき、操作性に優れる。このほか、隔日設定部Ｐ０５と温度指定枠Ｐ０２とを独立させているので、回動ツマミＰ２１を後半ステップの差分温度指定の際に操作せずにすみ、基準となる４ステップを維持でき、誤操作を防止できる。また、後半の４ステップの温度を指定する４つの物理的な回動ツマミが不要となり、装置コストを下げることができる。
【００４６】
以上説明したように、室内温度管理装置１は、適宜４８時間モードに切り替えることで、暖房費の節約が可能となる。なお、以上の例では、基準サイクルのステップ数を４としたがステップ数は３でも５以上でもよい。差分温度は、育成不良、品質低下を起こさない範囲で適宜設定することができる。葡萄の場合は差分−５℃までを目安とし、ステップ１は光合成が活発な時間帯であるので、ステップ１の差分は０とするのが好ましい。
【００４７】
実際に室内温度管理システムＳを用いて葡萄Ｇを栽培したところ、葡萄果実の商品品質は低下することなく、燃料費が低減できることが可能であることを確認した。
【００４８】
なお、本発明は、上記の実施の形態に限定されない。例えば、冷房装置を用いて室内冷却する場合の室内温度管理装置として用いることもできる。
【産業上の利用可能性】
【００４９】
本発明は、水耕栽培する場合の水温調整装置を制御する場合にも用いることができる。また、地中にパイプ等を巡らせ地温を調整する装置を制御する場合にも用いることができる。
【符号の説明】
【００５０】
１        室内温度管理装置
１００  検出部
２００  操作表示部
２０１  温度表示部
２０２  温度指定部
２０３  切替時刻設定部
２０４  点灯部
２０５  モード切替部
２０６  隔日温度設定部
２０７  温度表示制御部
２０８  後半ステップ設定部
２６１  後半ステップ指定部
２６２  差分温度指定部
３００  送出部
Ｐ        操作パネル
Ｐ０１  温度表示枠
Ｐ０２  温度指定枠
Ｐ０３  時刻表示部
Ｐ０４  モード切替ボタン
Ｐ０５  隔日設定部
Ｐ２１  回動ツマミ
Ｐ２２  目盛
Ｐ２３  ステップ指定ボタン
Ｐ３１  開始時刻設定ボタン
Ｐ３２  時刻表示ＬＥＤ
Ｐ３３  現在ステップ表示ＬＥＤ
Ｐ４１  後半開始ボタン
Ｐ５１  後半ステップ表示部
Ｐ５２  推移ボタン
Ｐ５３  昇降ボタン
Ｓ        室内温度管理システム
Ｔ        温度センサ
Ｂ        暖房機
Ｈ        ビニルハウス
【図１】
2014131489.tif 000003
【図２】
2014131489.tif 000004
【図３】
2014131489.tif 000005
【図４】
2014131489.tif 000006
【図５】
2014131489.tif 000007